(57)【要約】      （修正有） 【課題】インテリアとしての効果を高め、ちょっとした知識も学べるティッシュボックス収納ホルダーを提供する。【解決手段】ティッシュボックス収納ホルダーにおいて、前記収納ホルダー表面に図柄を施し、図柄周囲を切れ目と支辺で囲むことによりポップアップ面を形成する。そして、前記収納ホルダーを構成する折り込み面に設けた折れ線を曲げることで、前記ポップアップ面の内倒れを防ぐ。また、前記ポップアップ面の図柄にちなんだ説明を前記収納ホルダー表面に記載する。【選択図】図１
0003154009.tif 000002
【実用新案登録請求の範囲】
【請求項１】
ティッシュペーパー取り出し口を有するティッシュボックス収納ホルダーにおいて、
前記ティッシュボックス収納ホルダーには、切れ目と支辺とで囲んで形成されるポップアップ面を有していることを特徴とするティッシュボックス収納ホルダー。
【請求項２】
請求項１に記載のティッシュボックス収納ホルダーであって、前記ティッシュボックス収納ホルダーを構成する展開図中に折り込み面を有し、前記折り込み面の内、一又は二以上の折り込み面に、前記ポップアップ面の裏面に折り込み面の一辺が略垂直に当たるように折れ線を有していることを特徴とするティッシュボックス収納ホルダー。
【請求項３】
請求項１または請求項２に記載のティッシュボックス収納ホルダーであって、前記収納ホルダーの表面には文字、図形、記号またはこれらの結合された図柄が施され、前記図柄はポップアップ面に施される図柄部とポップアップ面に施された図柄にちなんだ説明部とで構成されていることを特徴とするティッシュボックス収納ホルダー。
【考案の詳細な説明】
【技術分野】
【０００１】
本考案は、ポップアップ機能を備えたティッシュボックス収納ホルダーに関するものである。
【背景技術】
【０００２】
従来、ティッシュボックス収納ホルダーは、そのままのティッシュボックスの使用では安っぽく、部屋の雰囲気と不釣合いな現状を無くす為に使用されていた。
また、通常はティッシュを使用したらすぐに屑入れに捨てることから利便性を良くする為にティッシュボックスと屑入れとが一体になっているもの等が考案されている。
【特許文献１】実開商６０−７６６７７号公報
【考案の開示】
【考案が解決しようとする課題】
【０００３】
しかしながら、もともと市販のティッシュボックスには花や動物等のイラストや写真が印刷されたものもあり、わざわざティッシュボックスを収納するメリットが少ないという問題があった。
【０００４】
また、ティッシュペーパー収納ホルダーを知的に有効利用するために何らかの工夫がされているものも無かった。
【０００５】
本考案は、上記の問題点に斯かる実情に鑑みなされたもので、インテリアとしての効果を高め、ちょっとした知識も学べるティッシュボックス収納ホルダーを提供することを課題とする。
【課題を解決するための手段】
【０００６】
請求項１に記載の考案は、ティッシュペーパー取り出し口を有するティッシュボックス収納ホルダーにおいて、前記ティッシュボックス収納ホルダーには、切れ目と支辺とで囲んで形成されるポップアップ面を有していることを特徴とする。
【０００７】
請求項２に記載の考案は、請求項１に記載のティッシュボックス収納ホルダーであって、前記ティッシュボックス収納ホルダーを構成する展開図中に折り込み面を有し、前記折り込み面の内、一又は二以上の折り込み面に、前記ポップアップ面の裏面に折り込み面の一辺が略垂直に当たるように折れ線を有していることを特徴とする。
【０００８】
請求項３に記載の考案は、請求項１または請求項２に記載のティッシュボックス収納ホルダーであって、前記収納ホルダーの表面には文字、図形、記号またはこれらの結合された図柄が施され、前記図柄はポップアップ面に施される図柄部とポップアップ面に施された図柄にちなんだ説明部とで構成されていることを特徴とする。
【考案の効果】
【０００９】
本考案によれば、ポップアップにより図柄等が立体的に見え、インテリアとして使用効果が期待出来る。
【００１０】
また、折り込み面の一部がポップアップ面を支える部分に変形することにより一度折り曲げたポップアップ部分が、再び倒れない。
【００１１】
さらに、ポップアップ部分の図柄に関する説明部により、図柄の関連事項を共に知識として学ぶことが出来る。
【考案を実施するための最良の形態】
【００１２】
ティッシュペーパー取り出し口を有するティッシュボックス収納ホルダーにおいて、前記ティッシュボックス収納ホルダーに、切れ目と支辺とで囲んだポップアップ面を形成する。
そして、前記ティッシュボックス収納ホルダーを構成する展開図中に折り込み面を有し、前記折り込み面の内、一又は二以上の折り込み面に、前記ポップアップ面の裏面に折り込み面の一辺が略垂直に当たるように折れ線を形成する。
また、前記収納ホルダーの表面には文字、図形、記号またはこれらの結合された図柄が施され、前記図柄はポップアップ面に施される図柄部とポップアップ面に施された図柄にちなんだ説明部とで構成する。
【００１３】
ここで、本考案の収納ホルダー表面の「表面」とは、収納ホルダーの外側を成す面（外面）のことである。例えば、直方体のホルダーの表面であれば、該直方体を構成する六面全ての外面を指すが、実際に施される図柄や説明表記は、必ずしも六面全体に渡る必要は無く、使用態様に応じて任意の面に施して構わないという意味である。
【００１４】
また、「ポップアップ」とは、図柄周囲を切れ目と支辺で囲むことにより、前記図柄周囲面を指で折り曲げて起こすことの出来る状態のことをいう。
【実施例１】
【００１５】
以下、図面を参照して本考案に係るティッシュボックス収納ホルダーの一実施例を説明する。図１は、本考案に係るティッシュボックス収納ホルダーの斜面図である。図２及び図３は、本考案に係る折り込み面の構造が違うティッシュボックス収納ホルダーの展開図の一例である。
【００１６】
本実施例では、図２のように底面５の四辺に、第一側面１、第二側面２、第三側面３、第四側面４が折れ線６を介して連設され、折り曲げ時に対面関係になる第一側面１と第二側面２の残りの三辺に、折り込み面７がそれぞれ折れ線を介して連設され、折り曲げ時に対面関係になる第三側面３と第四側面４の内、第三側面３と底面５の連接辺と平行関係になる対辺に、折り込み面７が折れ線６を介して連設され、第四側面４と底面５の連接辺と平行関係になる対辺に、ティッシュペーパー取り出し口８を有する上面９が折れ線６を介して連設され、第四側面４と上面９の連接辺と平行関係になる対辺に、差し込み片１０を有するカバー面１１が折れ線６を介して連設され、前記差し込み片１０が差し込める差し込み口１２が第三側面３と底面５の連接辺上に設けられている展開図において、折れ線６に沿って折り曲げ、差し込み片１０を差し込み口１２に挿入することで、ティッシュボックス収納ホルダー１３を組み立てる。
【００１７】
このとき、前記ティッシュボックス収納ホルダー１３の上面９に歴史上の人物の肖像画、名前及び背景の波図形を施し、これらの図柄の周囲を切れ目１４と支辺１５で囲んでポップアップ面１６を形成しておく。
【００１８】
そして、ポップアップ面１６を、支辺１５を軸に外側に折り曲げて起こせば、立体的なティッシュボックス収納ホルダーとなり、インテリアとしての効果が高まるものとなる。
【００１９】
なお、本実施例では、支辺は、上面と側面との接する辺の一部を利用しているが、面と面の接する辺に限らず、面上に施したポップアップ面の周囲の一定部分を支辺としても構わない。
【００２０】
次に、第一側面１の折り込み面７に、折り曲げたポップアップ面１６が再び倒れない
ように、ポップアップ面１６の裏面に折り込み面７の一辺が略垂直に当たるように折れ線６を設ける。図４は、ポップアップ面を裏から見た斜面図である。
【００２１】
このとき、ポップアップ面１６を支える為の折り込み面７は、折れ線６に沿って折り曲げた時、該ポップアップ面１６の裏面に、折り曲げた折り込み面７の一辺が略垂直に当たるべく、図２や図３の展開図のように他の折り込み面７よりも長くしておく。
【００２２】
また、ポップアップ面１６を支える為の折り込み面７に設けた折れ線６は、折り曲げやすいようにミシン目のような切りこみ線にしても構わない。
【００２３】
さらに、図３の展開図のように、ポップアップ面１６を支える為の折り込み面７に設けた折れ線６を折り曲げる為、折り込み面７に切れ目１４を設けても良い。
【００２４】
そして、ティッシュボックス収納ホルダー１３を構成する第四側面４には、歴史上の人物に関する出来事を年表と共に記した説明部１７がある。
【００２５】
このようにポップアップ面の図柄にちなんだ内容を説明部として側面に記載し、常時設置していれば、知らず知らずの内に知識を身に付けることが出来るようになる。
【００２６】
本実施例では、四つの側面の内、一側面のみに歴史上の人物にちなんだ説明が記載されているが、図柄にちなんだ説明の記載は、側面に限らず、どの面に記載しても、二面以上に記載しても構わない。
【００２７】
そして、説明は、必ずしも文章のみでする必要は無く、理解しやすいように図形やイラスト、アニメキャラクターや小説、有名人等の名台詞等を伴っても良い。
【００２８】
また、ポップアップ面の図柄も歴史上の人物に限らず、たとえば、動植物、建築物、天体、アニメキャラクター、車など説明できるものであれば何でも構わない。
【００２９】
更に、ポップアップ面は実施例のように一つに限らず、複数有っても構わない。ポップアップ面が複数になる場合、一又は二以上の折り込み面に折れ線を設け、折り曲げた時、各ポップアップ面の裏面に折り込み面の一辺が略垂直に当たるように工夫する。
【００３０】
なお、本考案のティッシュボックス収納ホルダーの材質は、加工し易く折り曲げやすい段ボール紙か厚紙或は再生紙が望ましいが特に限定しない。
【実施例２】
【００３１】
実施例２は、実施例１で説明した展開図から、第一側面と第二側面及び第一側面と第二側面の各三辺に折れ線を介して連設した折り込み面を除いた筒状のティッシュボックス収納ホルダーである。図５は、本考案に係るティッシュボックス収納ホルダーの斜面図である。図５は、本考案に係るの展開図の一例である。
【００３２】
この場合、第三側面と底面の連接辺と平行関係になる対辺に連接された折り込み面に折り曲げたポップアップ面が再び倒れないように、ポップアップ面の裏面に折り込み面の一辺が略垂直に当たるように折れ線１１を設ける。
【００３３】
このように、第一側面と第二側面を無くせば、一度組み立てたホルダーをばらさなくてもどちらの側面からも挿入出来るので、ティッシュボックスの交換が簡単になる。
【００３４】
以上説明したように、好ましい実施例を挙げて本考案を説明したが、本考案はその実施例に限定されるものではなく、本考案の要旨の範囲内で種々に改変できる。
【図面の簡単な説明】
【００３５】
【図１】本考案に係るティッシュボックス収納ホルダーの斜面図である。
【図２】本考案に係るティッシュボックス収納ホルダーの展開図の一例である。
【図３】本考案に係るティッシュボックス収納ホルダーの展開図の一例である。
【図４】本考案に係るティッシュボックス収納ホルダーのポップアップ面を裏から見た斜面図である。
【図５】本考案にティッシュボックス収納ホルダーの斜面図である。
【図６】本考案に係るティッシュボックス収納ホルダーの展開図の一例である。
【符号の説明】
【００３６】
１  第一側面
２  第二側面
３  第三側面
４  第四側面
５  底面
６  折れ線
７  折り込み面
８  ティッシュペーパー取り出し口
９  上面
１０  差し込み片
１１  カバー面
１２  差し込み口
１３  ティッシュボックス収納ホルダー
１４  切れ目
１５  支辺
１６  ポップアップ面
１７  説明部
【図１】
0003154009.tif 000003
【図２】
0003154009.tif 000004
【図３】
0003154009.tif 000005
【図４】
0003154009.tif 000006
【図５】
0003154009.tif 000007
【図６】
0003154009.tif 000008